(57)【要約】【課題】  １つの半導体メモリで連続収録送出を行う素材データ収録システムおよび素材データ収録送出方法を提供することを目的とする。【解決手段】  収録制御装置２は、素材データの収録開始時刻と、この素材データの次に収録する素材データの収録開始時刻よりも遅く収録を終了する収録終了時刻と、素材データサーバ１に備えられた受信部２０の情報とを含む収録単位毎の素材データの収録情報を、素材データに対応付けた識別子とともに素材データサーバ１へ通知する。この通知を受信した素材データサーバ１は、素材データの収録に係る情報を、素材収録管理テーブル５１に記憶し、この素材収録管理テーブル５１に基づき素材データを素材記録部４０に収録し、素材収録管理テーブル５１に記憶された識別子毎に対応付けられた素材データの収録開始時刻になる前に、識別子毎に対応付けられた素材データを消去する。【選択図】  図２
2010206726.tif 000002
【特許請求の範囲】
【請求項１】
マスターシステムから送信される素材データを収録する素材データサーバと、素材データサーバの収録処理を制御する収録制御装置とを有する収録システムであって、
前記素材データサーバには、
前記マスターシステムから送信される同一の素材データを受信する複数の受信部と、
前記受信部で受信した素材データを記録する素材記録部と、
前記素材記録部の記録領域を複数に分割してそれぞれの記録領域に識別子を付し、前記収録制御装置から受信する、素材データの収録に係る情報を前記識別子に対応付けて記憶する素材収録管理テーブルと、
前記素材収録管理テーブルが記憶する前記識別子に対応付けられた前記素材データの収録開始時刻になる前に、前記識別子で管理される記録領域を空きにするべく前記識別子で管理される素材データを前記素材記録部から消去する時刻を記憶する素材消去管理テーブルと、
前記素材収録管理テーブルおよび前記素材消去管理テーブルに基づいて素材記録部への素材データの記録および消去を制御する素材制御手段とを備え、
前記収録制御装置には、
少なくとも、前記素材データの収録開始時刻および前記受信部の情報を含む前記素材データの収録に係る情報を、前記識別子とともに素材データサーバへ通知する通知手段を備えることを特徴とする収録システム。
【請求項２】
前記素材データの収録に係る情報は、収録中の素材データを収録終了する前に、次に収録する識別子に対応付けられた素材データの収録を開始する情報を含むことを特徴とする請求項１に記載の収録システム。
【請求項３】
前記素材データの収録に係る情報には、前記素材データの次に収録する素材データの収録開始時刻よりも遅く収録を終了する収録終了時刻に係る情報をさらに含むことを特徴とする請求項１に記載の収録システム。
【請求項４】
マスターシステムから送信される素材データを収録する素材データサーバと、素材データサーバの収録処理を制御する収録制御装置とを有する収録システムの素材データ収録方法であって、
収録制御装置は、少なくとも、前記素材データの収録開始時刻と、前記素材データの次に収録する素材データの収録開始時刻よりも遅く収録を終了する収録終了時刻に係る情報と、前記収録制御装置に備えられた受信部の情報とを含む収録単位毎の前記素材データの収録情報を、前記素材データに対応付けた識別子とともに素材データサーバへ通知し、
前記通知を受信した素材データサーバは、
前記素材データの収録に係る情報を、素材データサーバに備えられた素材収録管理テーブルに記憶し、
前記素材収録管理テーブルに基づき素材データを素材データサーバに備えられた素材記録部に収録し、
前記素材収録管理テーブルに記憶された前記識別子毎に対応付けられた素材データの収録開始時刻になる前に、前記識別子毎に対応付けられた素材データを消去する、素材消去時刻を記憶する素材消去管理テーブルに基づき前記素材データを消去することを特徴とする素材データ収録方法。 
【発明の詳細な説明】
【技術分野】
【０００１】
本発明は、半導体メモリを使用した素材データを収録する収録システムの連続記録方式に関する。
【背景技術】
【０００２】
番組を放送する放送システムは、放送スタジオ等で行われる番組を構成する映像データを撮影して編集して番組の素材データを制作する、マスターシステムと、マスターシステムで制作された素材データを収録して送出する収録送出システムとを有する。
【０００３】
収録送出システムは、番組として送出する素材データを記録し、記録した素材データを番組の放送時刻に合わせて送出する。収録送出システムは、送出する素材データを収録する記録部を有し、これまでこの記録部にはハードディスクドライブが使用されてきた。このハードディスクは、ディスクからデータを読み出すヘッドが物理的に可動するため、そのヘッドの定期的なメンテナンスが必要である。特に、放送に用いる場合には、放送事故を未然に防ぐためにこのメンテナンスは必須であった。
【０００４】
近年では、フラッシュメモリと呼ばれる不揮発性の半導体メモリが実用化され、この半導体メモリには可動するヘッドが備えられていなくメンテナンスを必要としないため、送出システムの記録部に半導体メモリが使用されるようになりつつある。この半導体メモリを用いた収録送出システムは、放送する番組の素材データを記録しておく、半導体メモリではない大容量の記録媒体（例えばハードディスク等）と、ある程度の、例えば１日分の素材データを記録する小容量の半導体メモリと、を組合せて使用される。このような技術として、例えば、特許文献１に記載の技術が知られている。
【０００５】
特許文献１に記載の技術は、ＣＭの素材データを送出するシステムであり、その日の放送終了後に、半導体メモリから送出し終わった素材データを消去し、翌日に送出予定の素材データを大容量の記録媒体から半導体メモリへ転送し、半導体メモリへ素材データを収録するようにしている。フラッシュメモリのような半導体メモリは、その記録および読み出しの原理上、半導体メモリの動作は、記録、読出し、消去の３つが基本となり、上書き記録をすることができない。既に記録されている半導体メモリに再度記録を行うためには、一旦消去を行ってから記録を行う必要がある。そのため、特許文献１に記載の技術は、放送終了後という、素材データを送出していない時間帯に、送出し終わった素材データを消去してから、翌日に送出予定の素材データを大容量の記録媒体から転送して、半導体メモリに記録している。
【０００６】
ところで、上記のように、１日毎に放送終了時間があり、放送されない時間帯がある場合だけでなく、２４時間連続で放送する放送システムもある。このような放送システムでは、半導体メモリから素材データを送出しながら、送出する素材データを半導体メモリへ収録する必要がある。このような場合は、半導体メモリが上書き記録をすることができないことから、複数の半導体メモリを用い、送出し終わった素材データを消去する間は他の半導体メモリから素材データを送出する。
【先行技術文献】
【特許文献】
【０００７】
【特許文献１】特開平０７−２０３３４７号公報
【発明の概要】
【発明が解決しようとする課題】
【０００８】
しかしながら、上記の複数の半導体メモリを用いた収録送出システムは、半導体メモリが複数必要であるため、コストが高くなってしまうという問題がある。
【０００９】
そこで、本発明は、上記問題点を解決するためになされたもので、１つの半導体メモリで素材データの連続収録送出を行う収録システムおよび素材データ収録方法を提供することを目的とする。
【課題を解決するための手段】
【００１０】
上記目的を達成するために、本発明による収録システムは、マスターシステムから送信される素材データを収録する素材データサーバと、素材データサーバの収録処理を制御する収録制御装置とを有する収録システムであって、前記素材データサーバには、前記マスターシステムから送信される同一の素材データを受信する複数の受信部と、前記受信部で受信した素材データを記録する素材記録部と、前記素材記録部の記録領域を複数に分割してそれぞれの記録領域に識別子を付し、前記収録制御装置から受信する、素材データの収録に係る情報を前記識別子に対応付けて記憶する素材収録管理テーブルと、前記素材収録管理テーブルが記憶する前記識別子に対応付けられた前記素材データの収録開始時刻になる前に、前記識別子で管理される記録領域を空きにするべく前記識別子で管理される素材データを前記素材記録部から消去する時刻を記憶する素材消去管理テーブルと、前記素材収録管理テーブルおよび前記素材消去管理テーブルに基づいて素材記録部への素材データの記録および消去を制御する素材制御手段とを備え、前記収録制御装置には、少なくとも、前記素材データの収録開始時刻および前記受信部の情報を含む前記素材データの収録に係る情報を、前記識別子とともに素材データサーバへ通知する通知手段を備えることを特徴とする。
【００１１】
また、上記目的を達成するために、本発明による素材データ収録方法は、マスターシステムから送信される素材データを収録する素材データサーバと、素材データサーバの収録処理を制御する収録制御装置とを有する収録システムの素材データ収録方法であって、収録制御装置は、少なくとも、前記素材データの収録開始時刻と、前記素材データの次に収録する素材データの収録開始時刻よりも遅く収録を終了する収録終了時刻に係る情報と、前記収録制御装置に備えられた受信部の情報とを含む収録単位毎の前記素材データの収録情報を、前記素材データに対応付けた識別子とともに素材データサーバへ通知し、前記通知を受信した素材データサーバは、前記素材データの収録に係る情報を、素材データサーバに備えられた素材収録管理テーブルに記憶し、前記素材収録管理テーブルに基づき素材データを素材データサーバに備えられた素材記録部に収録し、前記素材収録管理テーブルに記憶された前記識別子毎に対応付けられた素材データの収録開始時刻になる前に、前記識別子毎に対応付けられた素材データを消去する、素材消去時刻を記憶する素材消去管理テーブルに基づき前記素材データを消去することを特徴とする素材データ収録方法。
【発明の効果】
【００１２】
本発明による収録システムおよび素材データ収録方法によれば、１つの半導体メモリで素材データの連続収録送出を行うことができる。
【図面の簡単な説明】
【００１３】
【図１】本発明の一実施の形態に係る放送システム全体を示したブロック図。
【図２】本発明の一実施の形態に係る素材データサーバの構成を示す機能ブロック図。
【図３】本発明の一実施の形態に係る素材データサーバに備えられる素材収録管理テーブルの一例を示す図。
【図４】本発明の一実施の形態に係る素材データサーバに備えられる素材消去管理テーブルの一例を示す図。
【図５】本発明の一実施の形態に係る素材データサーバが２４時間連続収録および送出を行う場合の素材データの流れを示したシーケンス図。
【発明を実施するための形態】
【００１４】
以下、本発明の実施例を、図面を参照して説明する。
【実施例】
【００１５】
図１は、本発明の一実施の形態を示す放送システムを示した図である。  
放送システムは、放送スタジオ等で行われる番組を構成する映像データを撮影および編集して番組の素材データを制作する、マスターシステム４と、このマスターシステム４で制作された素材データを収録して送出する収録送出システムとを有する。この収録送出システムには、マスターシステム４から受信する素材データを収録する素材データサーバ１、素材データサーバ１に対し、マスターシステム４から受信する素材データの収録を制御する収録制御装置２、および素材データサーバ１に対して素材データを送出する旨の指示を行う送出制御装置３が備えられている。この収録送出システムのうち、素材データの収録に関する素材データサーバ１およびサーバ制御装置２を合わせて収録システムと称する。
【００１６】
また、この放送システムの収録システムには、放送局に備えられた正確な放送時刻で放送するための時計装置から時刻情報が送られ、この時刻情報に合わせて素材データの収録や送出を行う。
【００１７】
次に、図２を参照して、素材データ収録システムに備えられた素材データサーバ１の構成について説明する。  
素材データサーバ１には、自らの素材データサーバ１を制御する収録制御装置２および送出制御装置３と制御情報を送受信する制御インタフェース１０、マスターシステム４で受信する素材データを受信する素材受信部２０、素材入力部２０から入力される素材データを記録する素材記録部４０、素材記録部４０から素材データを読み出して送出する素材送出部３０、および制御インタフェース１０が受信した制御情報を基に素材記録部４０に記録する素材データの管理を行う素材管理部５０を備える。なお、素材受信部２０で素材データを受信して素材記録部４０に記録することは、しばしば収録と呼ばれる処理である。
【００１８】
素材受信部２０には、素材データを受信する受信ポート２１および受信ポート２２が備えられ、素材送出部３０には、素材データを送出する送出ポート３１が備えられている。また、素材管理部５０には、素材データの収録および送出を制御する制御部５１、素材データを収録する時刻等を管理する素材収録管理テーブル５２、および素材記録部４０に記録されている素材データを消去する時刻を管理する素材消去管理テーブル５３を備える。
【００１９】
ここで、図３および図４を参照して、素材収録管理テーブル５２および素材消去管理テーブル５３について説明する。
【００２０】
図３は、素材管理部５０に備えられた素材収録管理テーブル５２の一例を示したものである。ここでは、素材記録部４０が２４時間分の素材データを記録できる記録容量である場合の例を示す。素材収録管理テーブル２２は、素材データを記録する素材記録部４０を、２４個に分割して、１個あたり１時間分の素材データを収録するように記録ＩＤを付けて管理する。この記録ＩＤ毎に、どの受信ポートから素材データを収録するか、すなわちどのチャンネルから素材データを収録するかを示すポート情報、収録開始時刻、および収録終了時刻が記憶される。これらの情報は、収録制御装置２から受信するものであり、これと同様の情報は収録制御装置２にも記憶しておくようになっている。
【００２１】
図３の例では、記録ＩＤ００は、チャンネル１で受信する素材データを、２３時５９分５５秒００から１時００分４秒９９まで収録し、記録ＩＤ０１は、チャンネル２で受信する素材データを、０時５９分５５秒００から２時００分４秒９９まで収録することが記憶されている。以降、記録ＩＤ０３から記録ＩＤ２３までも同様にポート情報、収録開始時刻、および収録終了時刻が記憶されている。
【００２２】
１個の記録ＩＤで管理する素材データは、例えば１時から２時までなどの１時間の素材データを記録対象としているが、ここでは、その記録対象となっている１時間の前後に５秒ずつ余分に記録する。この前後合計１０秒を、のりしろと称する。これは、記録素材データを素材ＩＤ単位の先頭から送出する場合に、送出のタイミングと収録されている素材データの送出位置との間に誤差が生じるなどの場合に、何も送出されていない時間が生じることを防ぐためである。このように素材データを収録する際に、のりしろの時間分まで収録しておくことにより、素材データを送出する際に、のりしろ部分の素材データを送出するようにできるため、何も送出されていない時間が生じることを防ぐことができる。
【００２３】
また、１つの記録ＩＤには、収録対象時間にのりしろを含んだ素材データを記録するため、のりしろ箇所を収録中の時間は、２つの記録ＩＤ分の収録を行う。そのため、入力チャンネルは複数用意する必要がある。本実施例では２つ用意し、記録ＩＤ００にはチャンネル１、記録ＩＤ０１にはチャンネル２、記録ＩＤ０２にはチャンネル１、というように、収録時刻が重複する記録ＩＤには、互いに異なるチャンネルから収録するようにしている。
【００２４】
図４は、素材管理部５０に備えられた素材消去管理テーブル５３の一例を示したものである。ここでは、２４個に分けて管理している記録ＩＤ毎に、収録開始時刻の２３時間５秒後にその記録ＩＤで管理されている素材データを消去する場合の例を示す。素材消去管理テーブル５３は、記録ＩＤ毎に、その記録ＩＤが管理している素材データを消去する時刻を記憶するようになっている。図４の例では、記録ＩＤ００は、素材消去時刻が２３時００分００秒００であり、記録ＩＤ０１は、素材消去時刻が００時００分００秒００であることが記憶されている。以降の記録ＩＤ００３から記録ＩＤ２３も同様に素材消去時刻が記憶されている。
【００２５】
ここでは、収録開始時刻の２３時間５秒後に素材データを消去するようにしたが、収録開始時刻から何時間後に消去するかについては、収録されている素材データを繰り返し送出する状況に応じて決定したり、１つの記録ＩＤで管理する素材データの時間の長さや素材記録部４０の記録容量に応じて決定したりしてもよい。また、図４では、記録ＩＤ毎に素材消去時刻が異なっているが、いくつかの記録ＩＤをまとめて同時刻に素材データを消去するようにしてもよい。
【００２６】
次に、図５を参照して、素材データサーバ１が素材データの収録、送出、および消去を繰り返し行う２４時間連続収録および送出について説明する。図５は、２４時間連続収録および送出を行う際の素材データの流れを示したシーケンス図である。図５中に示した白抜き矢印は、素材データを素材記録部４０に収録する際の素材データの流れを示したものであり、黒塗り矢印は、素材記録部４０に収録されている素材データを送出する際の素材データの流れを示したものである。また、素材記録部４０に収録中の素材データは、左下斜線で表記した。
【００２７】
まず、マスターシステム４から２つの受信ポート２１、２２へ素材データが送られる（Ｓ１０１）。これらの受信ポート２１、２２へ送られる素材データは同一の素材データである。このとき、素材収録管理テーブル５１に記憶されている記録ＩＤ、ポート情報、収録開始時刻、および収録終了時刻に基づき現在受信中の素材データを記録する。ここでは、図３に示した素材収録管理テーブル５１に基づき収録を行うこととし、ステップＳ１０１の時点で記録ＩＤが００の時刻であるとする。この場合、チャンネル１である受信ポート２１で受信した素材データを記録ＩＤ００として収録し（Ｓ１０２）、記録ＩＤ００の収録終了時刻まで収録を継続する。次に、記録ＩＤ０１の収録開始時刻になると、チャンネル２である受信ポート２２で受信した素材データを記録ＩＤ０１として収録し（Ｓ１０３）、記録ＩＤ０１の収録終了時刻まで収録を継続する。また、送出制御装置３から素材データサーバ１に対し、記録ＩＤ００に収録されている素材データを送出する指示があった場合は、記録ＩＤ００に収録されている素材データを送出する（Ｓ１０４、Ｓ１０５）。
【００２８】
さらに、記録ＩＤ０２の収録開始時刻になると、チャンネル１である受信ポート２１で受信した素材データを記録ＩＤ０２として収録し（Ｓ１０６）、記録ＩＤ０２の収録終了時刻まで収録を継続する。送出制御装置３から素材データサーバ１に対し、記録ＩＤ０１に収録されている素材データを送出する指示があった場合は、記録ＩＤ０１に収録されている素材データを送出する（Ｓ１０７、Ｓ１０８）。
【００２９】
以降、記録ＩＤ０３から記録ＩＤ２２まで同様に収録し（Ｓ１０９）、送出制御装置３から素材データサーバ１に対して送出指示があれば、指示された素材データを送出する。記録ＩＤ２３の収録開始時刻になると、チャンネル２である受信ポート２２で受信した素材データを記録ＩＤ２３として収録し（Ｓ１１０）、記録ＩＤ２３の収録終了時刻まで収録を継続する。そして、素材消去管理テーブル５２に記憶されている記録ＩＤ００の消去時刻２３時００分００秒００になると、記録ＩＤ００に収録されている素材データを消去する。この消去時刻は、記録ＩＤ００の収録開始時刻よりも前であるため、次に記録ＩＤ００に収録をするまでに消去しておくようになっており、記録ＩＤ００の収録開始時刻になると記録ＩＤ００へ素材データを収録することができる。このようにしておくことで、ステップＳ１１１のように、記録ＩＤ００へ素材データを収録する時刻になると、記録ＩＤ００への収録を行う。また、記録ＩＤ０１の消去時刻になると、記録ＩＤ０１に収録されている素材データを消去する。素材データを消去した記録ＩＤ０１には、次に収録開始時刻になったときに素材データを収録することができる。
【００３０】
このように、素材記録部４０を複数の記録ＩＤで管理し、記録ＩＤ毎の収録開始時刻よりも前に、既にその記録ＩＤに収録されている素材データを消去する素材消去管理テーブル５２を備えることにより、収録済の素材データを消去するために収録を中断することなく、２４時間連続収録を行うことができる。
【００３１】
また、素材記録部４０の容量を２４時間分の素材データを収録することができる容量にし、２４個の記録ＩＤで管理するようにしたことで、実際の時刻と対応しているため、ユーザーが素材データの送出を指示したり収録状況を確認したりすることが容易になる。さらに、素材記録部４０の容量を２４時間分の素材データを収録することができる容量であり、素材データを収録してからその素材データが収録されている記録ＩＤに対し、次に異なる素材データを収録する時刻になる直前に、既に収録されている素材データを消去するようにしている（例えば、本実施例では収録開始時刻のおよそ１時間前に消去している。）ことから、１日のうちに何度も同じ素材データを送出する場合に、１回収録しておくと、その素材データを繰り返し送出することができる。
【００３２】
本実施例の変形例として、素材データサーバ１から送出された素材データは、マスターシステム４に入力するようにしておき、再度マスターシステム４から素材データサーバ１へ素材データを送信するようにしてもよい。このようにすることで、素材記録部４０に記録可能な容量が２４時間分であって収録してから約２３時間後にその素材データが消去される場合であっても、その素材データを送出する際にマスターシステム４でも受信するため、マスターシステムで同じ素材データを何度も制作する必要がなくなり、素材データを制作する作業者の作業を減らすことができる。
【００３３】
なお、本発明は、以上の構成に限定されるものではなく、種々の変形が可能である。例えば、素材データを管理する記録ＩＤの数は、実施例では００から２３の２４個であったが、記録ＩＤが複数であれば２４個未満であっても２５個以上であってもよく、素材記録部４０の容量も、２４時間分の素材データを記録できる容量に限られるものではない。この記録ＩＤの数および１つの記録ＩＤが管理する素材データの時間長は、収録制御装置２が素材データサーバ１に対して指示することで変更するように構成してもよい。
【００３４】
また、素材記録部４０に収録されている素材データの消去は、本実施例では素材消去管理テーブル５２に基づき消去したが、この他に、収録制御装置２等の素材データサーバ１の外部に備えられた装置から、素材データの消去を指示して素材データを消去するように制御してもよい。さらに、本実施例では素材データの送出は、送出制御装置３の指示に基づき素材データを送出するようにしたが、数時間分等の複数の素材データを送出する時刻を予め指定して送出するように送出制御装置３が素材データサーバ１に対して予約するようにしてもよい。
【符号の説明】
【００３５】
１…素材データサーバ、２…収録制御装置、３…送出制御装置、４…マスターシステム、５…時計装置、１０…制御インタフェース、２０…素材受信部、２１，２２…受信ポート、３０…素材送出部、３１…送出ポート、４０…素材記録部、５０…素材管理部、５１…素材収録管理テーブル、５２…素材消去管理テーブル。
【図１】
2010206726.tif 000003
【図２】
2010206726.tif 000004
【図３】
2010206726.tif 000005
【図４】
2010206726.tif 000006
【図５】
2010206726.tif 000007